(57)【要約】【課題】バヨネット機構の係合強度を維持しつつ、コンパクト化可能なレンズ鏡筒を提供する。【解決手段】レンズ鏡筒２０は、バヨネット溝ｅ１を有する第１直進枠１１０（第１枠の一例）と、バヨネット突起Ｅ１を有する第１回転枠２１０（第２枠の一例）と、を備える。バヨネット溝ｅ１の径方向深さは、第１直進枠１１０の軸心方向に沿って段階的に変化する。バヨネット突起Ｅ１の径方向高さは、バヨネット溝ｅ１の形状に対応して段階的に変化する。【選択図】図３２
2015083998.tif 000002
【特許請求の範囲】
【請求項１】
バヨネット溝を有する第１枠と、
前記バヨネット溝に係合するバヨネット突起を有する第２枠と、
を備え
前記バヨネット溝の径方向深さは、前記第１枠の軸心方向に沿って段階的に変化し
前記バヨネット突起の径方向高さは、前記バヨネット溝の形状に対応して、前記軸心方向に沿って段階的に変化する、
レンズ鏡筒。
【請求項２】
前記軸心を通る切断面における前記バヨネット溝又は前記バヨネット突起の断面形状は、階段状である、
請求項１に記載のレンズ鏡筒。
【発明の詳細な説明】
【技術分野】
【０００１】
ここに開示される技術は、光学系を備えるレンズ鏡筒に関する。
【背景技術】
【０００２】
従来、レンズ鏡筒において、２つの枠を回転自在に係合することを目的として、バヨネット溝とバヨネット突起とによって構成されるバヨネット機構が広く用いられている。
このようなバヨネット機構は、バヨネット溝と、バヨネット溝に係合されるバヨネット突起と、によって構成されている（例えば、特許文献１参照）。
【先行技術文献】
【特許文献】
【０００３】
【特許文献１】特開２０１１−３３６６７号公報
【発明の概要】
【発明が解決しようとする課題】
【０００４】
しかしながら、バヨネット溝と交差する直進溝を有している場合、小型化のために直進溝に係合される直進突起の光軸方向の長さを短くすると、バヨネット溝との交差点で直進突起が外れてしまう。また、バヨネット溝を細くすると、外力に対する強度が低下してしまう。さらに、直進溝をバヨネット溝よりも深くすると、レンズ鏡筒の径方向のサイズが大きくなってしまう。
【０００５】
ここに開示される技術は、上述のような状況に鑑みてなされたものであり、バヨネット機構の係合強度を維持しつつ、コンパクト化可能なレンズ鏡筒を提供することを目的とする。
【課題を解決するための手段】
【０００６】
ここに開示されるレンズ鏡筒は、バヨネット溝を有する第１枠と、バヨネット溝に係合するバヨネット突起を有する第２枠と、を備える。バヨネット溝の径方向深さは、第１枠の軸心方向に沿って段階的に変化する。バヨネット突起の径方向高さは、バヨネット溝の形状に対応して、軸心方向に沿って段階的に変化する。
【発明の効果】
【０００７】
ここに開示される技術によれば、バヨネット機構の係合強度を維持しつつ、コンパクト化可能なレンズ鏡筒を提供することができる。
【図面の簡単な説明】
【０００８】
【図１】デジタルカメラの斜視図
【図２】レンズ鏡筒の斜視図
【図３】レンズ鏡筒の分解斜視図
【図４】固定枠の斜視図
【図５】第１直進枠の斜視図
【図６】図５のＶ−Ｖ断面図
【図７】第１回転枠の前方斜視図
【図８】第１回転枠の後方斜視図
【図９】第１回転枠の内面展開図
【図１０】図７のＷ−Ｗ断面図
【図１１】第２直進枠の斜視図
【図１２】直進カムフォロアの拡大平面図
【図１３】第１回転枠に係合された第２直進枠を示す側面図
【図１４】図１３のＸ−Ｘ断面図
【図１５】図１１のＹ-Ｙ断面図
【図１６】第２回転枠の後方斜視図
【図１７】第２回転枠の前方斜視図
【図１８】第３直進枠の後方斜視図
【図１９】第３直進枠の前方斜視図
【図２０】第２直進枠と第２回転枠と第３直進枠とを組み付けた模式図
【図２１】第１レンズ群枠及び第３化粧枠の斜視図
【図２２】第１レンズ群枠及び第３化粧枠の分解斜視図
【図２３】第１レンズ群枠及び第３化粧枠の部分拡大図
【図２４】第１レンズ群枠及び第３化粧枠の他の形態を示す斜視図
【図２５】第２レンズ群枠の斜視図
【図２６】シャッター枠の斜視図
【図２７】第３直進枠の内側でシャッター枠が移動する様子を説明するための図
【図２８】第３直進枠の内側でシャッター枠が移動する様子を説明するための図
【図２９】レンズ鏡筒の模式断面図（沈胴状態）
【図３０】レンズ鏡筒の模式断面図（ワイド状態）
【図３１】レンズ鏡筒の模式断面図（テレ状態）
【図３２】図３０の部分拡大図
【図３３】バヨネット機構の係合状態を説明するための図
【図３４】バヨネット機構の係合状態を説明するための図
【図３５】第３移動鏡筒部の分解斜視図
【図３６】収納状態における第３移動鏡筒部に係る、（Ａ）正面図、（Ｂ）断面図
【図３７】撮影可能状態における第３移動鏡筒部に係る、（Ａ）正面図、（Ｂ）断面図
【図３８】内側羽根に係る、（Ａ）正面図、（Ｂ）側面図、（Ｃ）斜視図
【図３９】第３移動鏡筒部の他の断面図
【図４０】バリア前カバーに係る、（Ａ）正面図、（Ｂ）断面図
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１１】
〈デジタルカメラ１の構成〉
デジタルカメラ１の構成について、図面を参照しながら説明する。図１は、デジタルカメラ１の斜視図である。図２は、レンズ鏡筒２０の斜視図である。
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
【００１２】
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２に示すように、第１移動鏡筒部２１と、第２移動鏡筒部２２と、第３移動鏡筒部２３と、固定鏡筒部２４と、を有している。
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。レンズ鏡筒２０が繰り出される場合、第１乃至第３移動鏡筒部２１〜２３のうち第３移動鏡筒部２３が最も前方に位置する。
【００１３】
〈レンズ鏡筒２０の詳細構成〉
次に、レンズ鏡筒２０の詳細構成について、図面を参照しながら説明する。図３は、レンズ鏡筒２０の分解斜視図である。
レンズ鏡筒２０の第１乃至第３移動鏡筒部２１〜２３は、光学系の光軸ＡＸに沿って固定鏡筒部２４から繰り出される。光学系には、第１乃至第４レンズ群Ｌ１〜L４が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。
また、本実施形態において、「直進」とは、周方向に回転することなく光軸方向に移動することを意味する。「移動」は、周方向に回転しながら光軸方向に移動することも含む概念である。
【００１４】
１．第１移動鏡筒部２１
第１移動鏡筒部２１は、第１直進枠１１０、第１回転枠２１０及び第１化粧枠３０１を有する。第１直進枠１１０は、後述する固定枠１００の径方向内側に配置される円筒状の樹脂部材である。第１回転枠２１０は、第１直進枠１１０の径方向内側に配置される円筒状の樹脂部材である。第１化粧枠３０１は、第１直進枠１１０の外周を覆う円筒状の板金部材である。
【００１５】
２．第２移動鏡筒部２２
第２移動鏡筒部２２は、第２直進枠１２０、第２回転枠２２０、第３直進枠１３０、第２レンズ群枠３２０、第２レンズ群Ｌ２、第３レンズ群枠３３０、第３レンズ群Ｌ３、シャッター枠３３５および第２化粧枠３０２を有する。
第２直進枠１２０は、第１回転枠２１０の径方向内側に配置される円筒状の樹脂部材である。第２回転枠２２０は、第２直進枠１２０の径方向内側に配置される円筒状の樹脂部材である。第３直進枠１３０は、第２回転枠２２０の径方向内側に配置される円筒状の樹脂部材である。第２レンズ群枠３２０は、第３直進枠１３０の径方向内側に配置されており、ズーム用の第２レンズ群Ｌ２を支持する。第３レンズ群枠３３０は、シャッター枠３３５に収容され、像ぶれ補正用の第３レンズ群Ｌ３を支持する。第３レンズ群枠３３０は、径方向において揺動自在にシャッター枠３３５によって支持されており、第３レンズ群Ｌ３とともに像ぶれ補正機構を構成している。シャッター枠３３５は、第３直進枠１３０の径方向内側に配置されており、シャッター機構を内蔵する。シャッター枠３３５は、第３レンズ群枠３３０を径方向において揺動自在に支持する。シャッター枠３３５には、制御用フレキシブル配線３３５ａが接続されている。制御用フレキシブル配線３３５ａは、固定枠１００又はマスターフランジ２４４に向かって延びており、レンズ鏡筒２０の外部に配置された制御装置（不図示）に接続されている。制御用フレキシブル配線３３５ａは、後述するシャッター機構や像ぶれ補正機構に制御信号を伝達する。第２化粧枠３０２は、第２直進枠１２０の外周を覆う円筒状の板金部材である。
【００１６】
３．第３移動鏡筒部２３
第３移動鏡筒部２３は、第１レンズ群枠３１０、第１レンズ群Ｌ１および第３化粧枠３０３を有する。
第１レンズ群枠３１０は、第２直進枠１２０と第２回転枠２２０との間に配置される。第１レンズ群枠３１０は、レンズ鏡筒２０内に光を取り込むための第１レンズ群Ｌ１を支持する。第３化粧枠３０３は、第１レンズ群枠３１０の外周を覆う円筒状の板金部材である。
【００１７】
４．固定鏡筒部２４
固定鏡筒部２４は、固定枠１００、第４レンズ群枠３４０、第４レンズ群Ｌ４、ズームモータ２４１、ズームギア２４２、フォーカスモータ２４３、マスターフランジ２４４、撮像素子２４５および撮像素子フレキシブル配線２４５ａを有する。
固定枠１００は、第１直進枠１１０および第１回転枠２１０の径方向外側に配置される円筒状の樹脂部材である。第４レンズ群枠３４０は、マスターフランジ２４４に取り付けられ、フォーカスモータ２４３によって光軸方向に駆動される。第４レンズ群枠３４０は、フォーカス調整用の第４レンズ群Ｌ４を支持する。
【００１８】
ズームモータ２４１は、第１乃至第３移動鏡筒部２１〜２３を繰り出すための駆動源であり、固定枠１００の側面に取り付けられる。ズームギア２４２は、ズームモータ２４１の駆動力を第１回転枠２１０に伝達する。ズームギア２４２の前端は、固定枠１００によって支持され、ズームギア２４２の後端は、マスターフランジ２４４によって支持される。フォーカスモータ２４３は、第４レンズ群枠３４０を光軸方向に駆動するための駆動源であり、マスターフランジ２４４に取り付けられる。マスターフランジ２４４は、固定枠１００の後方を覆う板状の樹脂部材である。撮像素子２４５は、マスターフランジ２４４の中央に嵌め込まれる。撮像素子フレキシブル配線２４５ａは、マスターフランジ２４４の後面に貼り付けられる。撮像素子フレキシブル配線２４５ａは、図示しない制御装置に接続されており、撮像素子２４５からの信号を伝達する。
【００１９】
〈各枠の構成〉
以下において、レンズ鏡筒２０を構成する枠について、図面を参照しながら説明する。具体的には、固定枠１００、第１直進枠１１０、第１回転枠２１０、第２直進枠１２０、第２回転枠２２０、第３直進枠１３０、第１レンズ群枠３１０、第２レンズ群枠３２０、第３レンズ群枠３３０、およびシャッター枠３３５の構成について順次説明した後に、枠どうしの係合状態について説明する。
【００２０】
１．固定枠１００の構成
図４は、固定枠１００の斜視図である。
固定枠１００は、固定枠本体１０１と、ズームギア支持部１０２と、を有する。
固定枠本体１０１は、円筒状に形成され、内周面１００Ｓと外周面１００Ｔを有する。
前支持部１０２は、外周面１００Ｔから突出するように設けられる。前支持部１０２は、ズームギア２４２の前端を回転自在に支持する。本実施形態において、前支持部１０２は、前板１１によって覆われるため、筐体１０の外部に露出しない（図１参照）。なお、ズームギア２４２の歯部は、固定枠本体１０１の内側に突出している。
【００２１】
また、固定枠１００は、５本の直進溝ａ１と、３本のカム溝ｂ１と、を有する。ただし、図４では、３本の直進溝ａ１と２本のカム溝ｂ１が図示されている。
５本の直進溝ａ１は、光軸方向に沿って内周面１００Ｓに形成されており、周方向において適宜間隔をあけて配置される。
３本のカム溝ｂ１は、光軸方向と交差するように内周面１００Ｓに形成される。
【００２２】
２．第１直進枠１１０の構成
図５は、第１直進枠１１０（第１枠の一例）の斜視図である。
第１直進枠１１０は、第１直進枠本体１１１と、配線用突起部１１２（突起部の一例）と、５本の直進突起Ａ１と、３本の直進溝ａ２と、バヨネット溝ｅ１と、バヨネット突起Ｅ０と、を有する。
【００２３】
直進枠本体１１１は、円筒状に形成され、内周面１１０Ｓと外周面１１０Ｔを有する。
配線用突起部１１２は、外周面１１０Ｔの後端部に立設される。配線用突起部１１２は、直進突起Ａ１に隣接して配置されている。配線用突起部１１２は、シャッター枠３３５に接続される制御用フレキシブル配線３３５ａと同程度の幅を有していればよい。ここで、配線用突起部１１２は、第１回転枠２１０がマスターフランジ２４４に最も近接した場合、制御用フレキシブル配線３３５ａに当接することによって制御用フレキシブル配線３３５ａを径方向外側に付勢する。すなわち、レンズ鏡筒２０の沈胴状態において、配線用突起部１１２は、制御用フレキシブル配線３３５ａを径方向外側に押し上げる。そのため、制御用フレキシブル配線３３５ａを第１直進枠１１０及び第１回転枠２１０から離間させることによって、制御用フレキシブル配線３３５ａが損傷することを抑制できる。
５つの直進突起Ａ１は、外周面１１０Ｔの後端部に立設される。５つの直進突起Ａ１は、固定枠１００の５本の直進溝ａ１に係合される。
【００２４】
３本の直進溝ａ２は、光軸方向に沿って内周面１１０Ｓに形成される。
バヨネット溝ｅ１は、内周面１１０Ｓの後端部において周方向に沿って円弧状に形成される。バヨネット溝ｅ１は、３本の直進溝ａ２と交差している。
ここで、図６は、図５のV-V断面図であり、第１直進枠１１０の軸心を通る切断面による第１直進枠１１０の断面図を示している。図６に示すように、バヨネット溝ｅ１の径方向深さは、第１直進枠１１０の軸心方向（すなわち、光軸方向）に沿って段階的に変化している。
【００２５】
具体的に、バヨネット溝ｅ１は、第１溝ｅ１１と、第２溝ｅ１２と、によって構成されている。第１溝ｅ１１は、第１直進枠１１０の内周面１１０Ｓに形成される凹部である。第１溝ｅ１１は、径方向深さα１と軸心方向幅β１を有する。第１溝ｅ１１の断面形状は、矩形である。第２溝ｅ１２は、第１直進枠１１０の内周面１１０Ｓに形成される凹部である。第２溝ｅ１２は、第１溝ｅ１１の後方に連なるように形成される。第２溝ｅ１２は、径方向深さα２と軸心方向幅β２を有する。第２溝ｅ１２の断面形状は、矩形である。第２溝ｅ１２の径方向深さα２は、第１溝ｅ１１の径方向深さα１よりも大きい。そのため、バヨネット溝ｅ１の断面形状は階段形状であり、バヨネット溝ｅ１の深さは後側でより深い。
バヨネット突起Ｅ０は、内周面１１０Ｓの前端部に配置される。バヨネット突起Ｅ０は、周方向に沿って円弧状に形成される。本実施形態において、バヨネット突起Ｅ０は、周方向において複数本に分断されている。
【００２６】
３．第１回転枠２１０の構成
図７は、第１回転枠２１０（第２枠の一例）の前方斜視図である。図８は、第１回転枠２１０の後方斜視図である。図９は、第１回転枠２１０の内面展開図である。
第１回転枠２１０は、第１回転枠本体２１１と、ギア部２１２と、当接帯部２１３と、配線用凹部２１４と、枠用凹部２１５と、を有する。
第１回転枠本体２１１は、円筒状に形成され、内周面２１０Ｓと外周面２１０Ｔと後端面２１０Ｒを有する。
【００２７】
ギア部２１２は、外周面２１０Ｔの後端部に立設されており、周方向に沿って形成される。ギア部２１２がズームギア２４２に噛合することによって、第１回転枠２１０は、ズームモータ２４１の駆動力によって周方向に回転される。なお、図示しないが、ギア部２１２は、第１直進枠１１０の直進突起Ａ１よりも後方に位置している。
ここで、第１回転枠２１０がマスターフランジ２４４に最も近接した場合、ギア部２１２の周方向における回転位置は、シャッター枠３３５に接続された制御用フレキシブル配線３３５ａの周方向における回転位置と異なっている。すなわち、レンズ鏡筒２０の沈胴状態において、ギア部２１２は、制御用フレキシブル配線３３５ａと対向しない（図２８参照）。そのため、回転しながらマスターフランジ２４４に近づく第１回転枠２１０のギア部２１２に引っ掛かることで制御用フレキシブル配線３３５ａが損傷することを回避できる。
【００２８】
当接帯部２１３は、後述するカム溝ｂ２の内部に突出する。当接帯部２１３は、カム溝ｂ２のうち周方向と交差する部分に設けられている。本実施形態では、当接帯部２１３は、カム溝ｂ２の後側において外周側を覆うように形成されている。落下、衝撃等の力が後述する第２直進枠１２０の直進カムフォロアＡＢ２に対して光軸方向前側から掛かった場合に、直進カムフォロアＡＢ２は当接帯部２１３に当接する（図１３及び図１４参照）。
【００２９】
配線用凹部２１４（切り欠き部の一例）は、後端面２１０Ｒにおいて周方向に沿って形成される切り欠きである。配線用凹部２１４は、図８に示すように、周方向において後述する２つのカムフォロアＢ１の間に形成されている。すなわち、配線用凹部２１４は、光軸方向から見た場合にカムフォロアＢ１と重なっていない。また、配線用凹部２１４は、光軸方向から見た場合にギア部２１２と重なっていない。配線用凹部２１４は、第１回転枠２１０がマスターフランジ２４４に最も近接した場合、シャッター枠３３５に接続された制御用フレキシブル配線３３５ａと対向する。
【００３０】
このように、第１回転枠２１０に配線用凹部２１４が形成されることによって、レンズ鏡筒２０の沈胴状態において、第１回転枠２１０と制御用フレキシブル配線３３５ａとを十分に離間させることができる。そのため、回転しながらマスターフランジ２４４に近づく第１回転枠２１０の後端面２１０Ｒに接触して制御用フレキシブル配線３３５ａが損傷することを回避できる。
【００３１】
また、配線用凹部２１４は光軸方向においてカムフォロアＢ１及びギア部２１２と重なっていないため、カムフォロアＢ１及びギア部２１２のサイズを小さくする必要がない。従って、カムフォロアＢ１及びギア部２１２の強度を維持することができる。
配線用凹部２１４は、周方向の少なくとも一端において、後端面２１０Ｒに繋がる斜面を有している。これによって、制御用フレキシブル配線３３５ａが配線用凹部２１４と後端面２１０Ｒとの段差に引っ掛かることが抑制されている。
【００３２】
枠用凹部２１５（切り欠き部の一例）は、後端面２１０Ｒにおいて周方向に沿って形成される切り欠きである。枠用凹部２１５は、図８に示すように、周方向において後述する２つのカムフォロアＢ１の間に形成されている。すなわち、枠用凹部２１５は、光軸方向から見た場合にカムフォロアＢ１と重なっていない。また、枠用凹部２１５は、光軸方向から見た場合にギア部２１２と重なっていない。枠用凹部２１５は、第１回転枠２１０がマスターフランジ２４４に最も近接した場合、第４レンズ群枠３４０と対向する。
【００３３】
このように、第１回転枠２１０に枠用凹部２１５が形成されることによって、レンズ鏡筒２０の沈胴状態において、第１回転枠２１０と第４レンズ群枠３４０とを十分に離間させることができる。そのため、回転しながらマスターフランジ２４４に近づく第１回転枠２１０の後端面２１０Ｒに接触し、第４レンズ群枠３４０が損傷することを回避できる。
また、光軸方向において枠用凹部２１５がカムフォロアＢ１及びギア部２１２と重なっていないため、カムフォロアＢ１及びギア部２１２のサイズを小さくする必要がない。従って、カムフォロアＢ１及びギア部２１２の強度を維持することができる。
【００３４】
枠用凹部２１５は、周方向の少なくとも一端において、後端面２１０Ｒに繋がる斜面を有している。これによって、第４レンズ群枠３４０が枠用凹部２１５と後端面２１０Ｒとの段差に引っ掛かることが抑制されている。
また、第１回転枠２１０は、３つのカムフォロアＢ１と、３つのバヨネット突起Ｅ１と、３本のカム溝ｂ２と、バヨネット溝ｅ０と、３本の直進溝ａ３と、を有する。ただし、図７では、直進溝ａ３は１本だけ図示されている。
【００３５】
３つのカムフォロアＢ１は、外周面２１０Ｔの後端部に立設される。３つのうち２つのカムフォロアＢ１は、ギア部２１２の両端に配置されている。３つのカムフォロアＢ１は、固定枠１００の３つのカム溝ｂ１に係合される。
ここで、第１回転枠２１０がマスターフランジ２４４に最も近接した場合、カムフォロアＢ１の周方向における回転位置は、シャッター枠３３５に接続された制御用フレキシブル配線３３５ａの周方向における回転位置と異なっている。すなわち、レンズ鏡筒２０の沈胴状態において、カムフォロアＢ１は、制御用フレキシブル配線３３５ａと対向しない（図２８参照）。そのため、回転しながらマスターフランジ２４４に近づく第１回転枠２１０のカムフォロアＢ１に引っ掛かることで制御用フレキシブル配線３３５ａが損傷することを回避できる。
【００３６】
バヨネット突起Ｅ１は、外周面２１０Ｔの後端部において周方向に沿って形成される。バヨネット突起Ｅ１は、ギア部２１２の前方に配置される。バヨネット突起Ｅ１は、第１直進枠１１０のバヨネット溝ｅ１に係合される。本実施形態において、バヨネット突起Ｅ１とバヨネット溝ｅ１とは、第１回転枠２１０を第１直進枠１１０に回転自在に係合するためのバヨネット機構を構成している。
【００３７】
ここで、図１０は、図７のＷ-Ｗ断面図であり、第１回転枠２１０の軸心を通る切断面による第１回転枠２１０の断面図を示している。図１０に示すように、バヨネット突起Ｅ１の径方向高さは、図６に示すバヨネット溝ｅ１の形状に対応して、第１回転枠２１０の軸心方向（すなわち、光軸方向）に沿って段階的に変化している。
具体的に、バヨネット突起Ｅ１は、第１突起Ｅ１１と、第２突起Ｅ１２と、によって構成されている。第１突起Ｅ１１は、第１回転枠２１０の外周面２１０Ｔ上に形成される凸部である。第１突起Ｅ１１は、径方向高さγ１と軸心方向幅δ１を有する。第１突起Ｅ１１の断面形状は、矩形である。第２突起Ｅ１２は、第１回転枠２１０の外周面２１０Ｔに形成される凸部である。第２突起Ｅ１２は、第１突起Ｅ１１の後方に連なるように形成される。第２突起Ｅ１２は、径方向高さγ２と軸心方向幅δ２を有する。第２突起Ｅ１２の断面形状は、矩形である。第２突起Ｅ１２の径方向高さγ２は、第１突起Ｅ１１の径方向高さγ１よりも大きい。そのため、バヨネット突起Ｅ１の断面形状は階段形状であり、バヨネット突起Ｅ１の高さは後側でより高い。
【００３８】
３本のカム溝ｂ２は、内周面２１０Ｓから外周面２１０Ｔまで第１回転枠本体２１１を貫通している。
バヨネット溝ｅ０は、外周面２１０Ｔの前端部に形成される。バヨネット溝ｅ０は、周方向に沿って円弧状に形成される。バヨネット溝ｅ０は、３本のカム溝ｂ２と交差している。バヨネット溝ｅ０には、バヨネット突起Ｅ０が係合される。
３本の直進溝ａ３は、内周面２１０Ｓにおいて光軸方向に沿って形成される。３本の直進溝ａ３のうち２つは近接しており、残り一つは１２０°〜１８０°離れて形成される。
【００３９】
４．第２直進枠１２０の構成
図１１は、第２直進枠１２０の斜視図である。
第２直進枠１２０（第２枠の一例）は、第２直進枠本体１２１と、２つの係止部１２２と、を有する。
【００４０】
第２直進枠本体１２１は、円筒状に形成され、内周面１２０Ｓと外周面１２０Ｔを有する。
２つの係止部１２２は、第２直進枠本体１２１の後端面上に立設され、後方に向かって突出している。また、２つの係止部１２２は、光軸ＡＸ（図３参照）を中心として略対称な位置に形成される。後述するように、２つの係止部１２２が第３直進枠１３０に係止されることによって、第３直進枠１３０の第２直進枠１２０に対する相対回転が抑止される。なお、本実施形態では、２つの係止部１２２のうち一方が他方よりも周方向に長く形成されている。
【００４１】
また、第２直進枠１２０は、３つの直進カムフォロアＡＢ２と、３本の直進溝ａ４と、バヨネット溝ｅ２と、３つのバヨネット突起Ｅ４と、を有する。
３つの直進カムフォロアＡＢ２は、外周面１２０Ｔの後端部に立設され、周方向において略等ピッチで配置される。３つの直進カムフォロアＡＢ２は、第１回転枠２１０の３本のカム溝ｂ２に係合される。また、３つの直進カムフォロアＡＢ２は、３本のカム溝ｂ２に挿通され、かつ、第１直進枠１１０の３本の直進溝ａ２に係合される。なお、図１１に示すように、直進カムフォロアＡＢ２は、光軸方向幅σを有している。直進カムフォロアＡＢ２の光軸方向幅σは、バヨネット溝ｅ１のうち第２溝ｅ１２の軸心方向幅β２よりも大きい。これによって、直進カムフォロアＡＢ２がバヨネット溝ｅ１に引っ掛かることが抑制されている。また、直進カムフォロアＡＢ２の光軸方向幅σは、第１溝ｅ１１の軸心方向幅β１と第２溝ｅ１２の軸心方向幅β２の和よりも小さい。これによって、光軸方向幅σを小さくして、レンズ鏡筒２０の鏡筒沈胴長が短くされている。
【００４２】
ここで、図１２は、直進カムフォロアＡＢ２の拡大平面図であり、図１３は、第１回転枠２１０に係合された第２直進枠１２０を示す側面図である。図１４は、図１３のＸ−Ｘ断面図である。
図１２に示すように、直進カムフォロアＡＢ２は、カム突起部３１と、直進突起部３２と、当接部３３と、を有する。カム突起部３１は、第２直進枠１２０の外周面１２０Ｔ上に配置される。カム突起部３１は、直進カムフォロアＡＢ２のうち第１回転枠２１０のカム溝ｂ２に係合される部分である。直進突起部３２は、カム突起部３１上に配置される。直進突起部３２は、直進カムフォロアＡＢ２のうち第１直進枠１１０の直進溝ａ２に係合される部分である。当接部３３は、カム突起部３１上に配置されている。
【００４３】
また、図１２に示すように、カム突起部３１及び直進突起部３２それぞれは、周方向に沿って延びるように形成されている。そのため、直進カムフォロアＡＢ２の光軸方向におけるサイズを大きくすることなく両者の断面積を大きくすることができる。従って、カム突起部３１及び直進突起部３２の強度を向上させることができる。
また、図１２に示すように、カム突起部３１は、第１端面３１Ｓ１と、第２端面３１Ｓ２と、を有する。第１及び第２端面３１Ｓ１，３１Ｓ２は、カム突起部３１の周方向における両端面である。第１及び第２端面３１Ｓ１，３１Ｓ２それぞれは、第２直進枠１２０の径方向を軸心とする円錐面の一部である。また、直進突起部３２は、直方体状に形成されており、第１端面３２Ｓ１と、第２端面３２Ｓ２と、を有する。第１及び第２端面３２Ｓ１，３２Ｓ２は、直進突起部３２の周方向における両端面であり、周方向に垂直な平面である。このように、カム突起部３１の第１及び第２端面３１Ｓ１，３１Ｓ２が円錐面の一部であるので、インジェクション成形で第１回転枠２１０のカム溝ｂ２を作る場合に、金型をスムーズに抜くための勾配形状に対応させることができる。また、カム突起部３１の第１及び第２端面３１Ｓ１，３１Ｓ２が円錐面の一部であるので、第１回転枠２１０のカム溝ｂ２が回転角に対する光軸方向移動量の非線形なカム軌跡を有していても、カム突起部３１をカム溝ｂ２の全域に追従させることができる。さらに、直進突起部３２の第１及び第２端面３２Ｓ１，３２Ｓ２の光軸方向における長さが、第１直進枠１１０の直進溝ａ２と交差するバヨネット溝ｅ１の光軸方向における長さよりも大きければ、直進突起部３２は、バヨネット溝ｅ１に引っ掛ることなく直進溝ａ２内をスムーズに移動させることができる。
【００４４】
また、図１３に示すように、直進カムフォロアＡＢ２は、第１回転枠２１０のカムフォロアＢ１の光軸方向前方に配置されている。そのため、第１回転枠２１０のカムフォロアＢ１と係合する固定枠１００（カム枠の一例）のカム溝ｂ１より光軸方向前側に形成される壁を、固定枠１００の光軸方向の長さを長くすることなく分厚くすることができる。従って、固定枠１００の外力に対する強度を向上させることができる。
また、図１３に示すように、直進カムフォロアＡＢ２は、第１回転枠２１０のギア部２１２より光軸方向前方に配置されている。そのため、第１回転枠２１０のギア部２１２と噛み合うズームギア２４２の光軸方向における長さを短くすることができる。従って、レンズ鏡筒２０を光軸方向においてコンパクトにすることができる。
【００４５】
また、図１４に示すように、カム突起部３１は、第１回転枠２１０の当接帯部２１３に当接される当接部３３当接部３３を有する。当接部３３は、カム突起部３１の第１端面３１Ｓ１の上端に形成された切り欠きである。直進突起部３２は、直進突起当接角部３２Ｋを有する。直進突起当接角部３２Ｋは、直進突起部３２の後側で当接帯部２１３と対向する角部である。直進突起当接角部３２Ｋは、当接帯部２１３と当接することによって変形しないようにＲ形状となっている。このように当接帯部２１３と直進突起当接角部３２Ｋが当接帯部２１３に当接することによって、第２直進枠１２０に前方から外力が働いた場合に、第１端面３１Ｓ１がカム溝ｂ２の内側面に沿って滑ることを抑制できる。従って、直進カムフォロアＡＢ２がカム溝ｂ２から外れて、第１回転枠２１０の内側にもぐり込んでしまうことを抑制することができる。さらに、直進カムフォロアＡＢ２は、カム突起部３１の第１端面３１Ｓ１が当接帯部２１３の内面においてカム溝ｂ２の内側面に当接されている。そのため、第２直進枠１２０に前方から外力が働いた場合に、カム突起部３１の一部に応力が集中しないようにすることができるので、直進カムフォロアＡＢ２の破損を抑制できる。
【００４６】
３本の直進溝ａ４は、光軸方向に沿って内周面１２０Ｓに形成される。３本の直進溝ａ４は、周方向において略等ピッチで配置される。
バヨネット溝ｅ２は、周方向に沿って内周面１２０Ｓの後端部に形成される。バヨネット溝ｅ２は、３本の直進溝ａ４と交差している。
３つのバヨネット突起Ｅ４は、内周面１２０Ｓの後端部において周方向に沿って形成される。３つのバヨネット突起Ｅ４は、第２回転枠２２０の３本のバヨネット溝ｅ４に係合される。
【００４７】
ここで、図１５は、図１１のＹ-Ｙ断面図である。図１５に示すように、バヨネット突起Ｅ４の周方向における高さαは、バヨネット突起Ｅ４の端点ｐに近づくほど低い。すなわち、バヨネット突起Ｅ４の端部５１には角が形成されない。なお、高さαは、内周面１２０Ｓを基準とする高さである。
このように、バヨネット突起Ｅ４の高さαが徐々に小さくされているので、第２直進枠１２０に前方から外力がかかった場合に、端部５１にかかる曲げモーメント力を小さくすることができる。そのため、端部５１が損傷することを抑制することができる。
【００４８】
５．第２回転枠２２０の構成
図１６は、第２回転枠２２０の後方斜視図である。図１７は、第２回転枠２２０の前方斜視図である。
第２回転枠２２０（第１枠の一例）は、第２回転枠本体２２１と、３つのフランジ部２２２と、３つの直進突起Ａ３と、３つのバヨネット突起Ｅ２と、２本のバヨネット溝ｅ３と、３本のカム溝ｂ３と、３本のカム溝ｂ４と、３本のカム溝ｂ５と、３本のバヨネット溝ｅ４と、３つのカム突起Ｂ６と、を有する。ただし、図１６では、カム溝ｂ３、カム溝ｂ４、カム溝ｂ５が各々２本ずつ図示されている。
【００４９】
第２回転枠本体２２１は、円筒状に形成され、内周面２２０Ｓと外周面２２０Ｔを有する。
３つのフランジ部２２２は、外周面２２０Ｔの後端部に立設され、周方向に延びている。３つのフランジ部２２２は、周方向において互いに離間しており、それぞれの間にフランジ凹部２２２ａが形成されている。フランジ凹部２２２ａには、レンズ鏡筒２０の収納状態において、後述する第１レンズ群枠３１０の突出部３１１ａが収納される。
【００５０】
３つの直進突起Ａ３は、２つのフランジ部２２２上に立設され、周方向において３つの直進突起Ａ３のうち２つは近接しており、残り一つは近接する２つの直進突起Ａ３から１２０°以上離れて形成される。３つの直進突起Ａ３は、第１回転枠２１０の３つの直進溝ａ３に係合される。
３つのバヨネット突起Ｅ２は、外周面２２０Ｔの後端部において周方向に沿って形成される。３つのバヨネット突起Ｅ２は、３つの直進突起Ａ３より前方に配置される。バヨネット突起Ｅ２は、第２直進枠１２０のバヨネット溝ｅ２に係合される。本実施形態において、バヨネット突起Ｅ２とバヨネット溝ｅ２とは、第２回転枠２２０を第２直進枠１２０に回転自在に係合するためのバヨネット機構を構成している。
【００５１】
２本のバヨネット溝ｅ３は、周方向に沿って内周面２２０Ｓの略中央部に形成される。２本のバヨネット溝ｅ３は、互いに平行に形成される。２本のバヨネット溝ｅ３は、カム溝ｂ４およびカム溝ｂ５と交差する。
３本のカム溝ｂ３は、光軸方向と交差するように外周面２２０Ｔに形成され、周方向において略等ピッチで配置される。
【００５２】
カム溝ｂ４およびカム溝ｂ５は、内周面２２０Ｓに形成される。カム溝ｂ４およびカム溝ｂ５は、互いに交差する。
３本のバヨネット溝ｅ４は、外周面２２０Ｔの後端部において、３つの直進突起Ａ３の前方に形成される。３本のバヨネット溝ｅ４は、周方向に沿って円弧状に形成される。３本のバヨネット溝ｅ４には、第２直進枠１２０の３つのバヨネット突起Ｅ４が係合される。
【００５３】
ここで、図１７に示すように、バヨネット溝ｅ４は、外周面２２０Ｔ上において周方向に沿って配置された周方向壁６１によって構成されている。周方向壁６１には、バヨネット突起Ｅ４を組み込むための切り欠き部６２が形成されている。光軸方向から見た場合、切り欠き部６２の形状は、バヨネット突起Ｅ４の端部５１（図１５参照）の形状に対応している。すなわち、切り欠き部６２の径方向深さは、周方向壁６１の端点Ｑに近づくほど深い。
【００５４】
このように、切り欠き部６２の形状がバヨネット突起Ｅ４の端部５１の形状に対応しているため、バヨネット突起Ｅ４を切り欠き部６２に組み込んだ後に少量回転させるだけで十分な係合幅を確保することができる。そのため、バヨネット突起Ｅ４をバヨネット溝ｅ４に強固に係合させることができるので、第２直進枠１２０に前方から外力がかかった場合に、第２直進枠１２０と第２回転枠２２０の係合が外れることを抑制できる。
【００５５】
３つのカム突起Ｂ６は、外周面２２０Ｔの前端部上に配置される。３つのカム突起Ｂ６は、後述する第１レンズ群枠３１０が有する３本のカム溝ｂ６に係合される。カム突起Ｂ６は、前面Ｒａを有する。前面Ｒａは、カム溝ｂ６のカム面Ｔａ（後端面Ｓａを含む）と摺動する。前面Ｒａは、カム面Ｔａ（後端面Ｓａを含む）と押し合った場合に、互いに外れずに食い込む方向（すなわち、径方向内側後方）に傾斜していることが好ましい。
【００５６】
６．第３直進枠１３０の構成
図１８は、第３直進枠１３０の後方斜視図である。図１９は、第３直進枠１３０の前方斜視図である。
第３直進枠１３０は、第３直進枠本体１３１と、フランジ部１３２と、２つの係止凹部１３３と、３本の押さえ部１３４と、を有する。
【００５７】
第３直進枠本体１３１は、円筒状に形成され、内周面１３０Ｓと外周面１３０Ｔと後端面１３０Ｒと前端面１３０Ｕを有する。
フランジ部１３２は、円環状に形成され、外周面１３０Ｔの後端部上に立設されている。
２つの係止凹部１３３は、フランジ部１３２の外縁に形成される切り欠きである。２つの係止凹部１３３は、光軸ＡＸ（図３参照）を中心として略対称な位置に形成される。ここで、図２０は、第２直進枠１２０と第２回転枠２２０と第３直進枠１３０とを組み付けた状態を示す模式図である。図２０に示すように、第２直進枠１２０の２つの係止部１２２が第３直進枠１３０の２つの係止凹部１３３に係止されることによって、第３直進枠１３０の第２直進枠１２０に対する相対回転が抑止される。なお、２つの係止部１２２の一方が他方よりも周方向に長く形成されているのに対応して、２つの係止凹部１３３の一方が他方よりも周方向に長く形成されている。これによって、２つの係止凹部１３３の強度が向上されている。
【００５８】
また、第３直進枠１３０は、２つのバヨネット突起Ｅ３と、３つの直進溝ａ５と、３つの直進溝ａ６と、を有する。ただし、図１８では、バヨネット突起Ｅ３は２つだけ図示されている。
２つのバヨネット突起Ｅ３は、外周面１３０Ｔの略中央部において周方向に沿って形成される。２つのバヨネット突起Ｅ３は、互いに平行に形成される。２つのバヨネット突起Ｅ３は、第２回転枠２２０の２本のバヨネット溝ｅ３に係合される。本実施形態において、バヨネット突起Ｅ３とバヨネット溝ｅ３とは、第３直進枠１３０を第２回転枠２２０に回転自在に係合するためのバヨネット機構を構成している。
３つの直進溝ａ５は、内周面１３０Ｓから外周面１３０Ｔまで第３直進枠本体１３１を貫通している。３つの直進溝ａ５は、光軸方向に沿って延びており、周方向において略等ピッチで配置される。
【００５９】
３つの直進溝ａ６は、内周面１３０Ｓから外周面１３０Ｔまで第３直進枠本体１３１を貫通している。３つの直進溝ａ６は、光軸方向に沿って延びており、周方向において略等ピッチで配置される。３本の直進溝ａ６には、シャッター枠３３５が有する３つの直進突起Ａ６が係合される。ここで、３本の直進溝ａ６のうち２本の直進溝ａ６だけが、後端面１３０Ｒに形成される開口ｃを有している。開口ｃは、カム突起Ｂ５を直進溝ａ６の内部に導入するために設けられている。１本の直進溝ａ６が後端面１３０Ｒに開口していないので、第３直進枠１３０の強度を向上させることができる。さらに、落下、衝撃等の力がシャッター枠３３５に掛かった時に、カム突起Ｂ５がカム溝ｂ５の後側壁を突き破って、更に後側に外れようとするが、１本の直進溝ａ６が後端面１３０Ｒに開口していないので、カム突起Ｂ５が外れることが抑制される。また、シャッター枠３３５を第３直進枠１３０に組み付ける際には、後端面１３０Ｒに開口していない１本の直進溝ａ６に１つのカム突起Ｂ５を係合させた状態で、残り２つのカム突起Ｂ５を２つの開口ｃから２本の直進溝ａ６に導入させることができる。従って、第３直進枠１３０の強度の向上とシャッター枠３３５の組み付け性の維持とを両立させることができる。
【００６０】
また、３本の押さえ部１３４は、３つの直進溝ａ６の前方に配置されている。３本の押さえ部１３４によって３つの直進溝ａ６の前方が閉じられている。３本の押さえ部１３４それぞれは、前方に向かって突出する突出部１３４ａを有する。直進溝ａ６の前端は、突出部１３４ａの内側に入り込むように前方に延びている。
ここで、前端面１３０Ｕは、押さえ部１３４の突出部１３４ａの形状に応じた凹凸形状を有している。このような前端面１３０Ｕの凹凸形状は、第１レンズ群枠３１０の内面の凹凸形状に対応している。従って、レンズ鏡筒２０が沈胴状態の場合、第３直進枠１３０の前端面１３０Ｕは、第１レンズ群枠３１０の内面に沿って配置されることになる。そのため、第３直進枠１３０を第１レンズ群枠３１０に組み合せたときの前後方向におけるサイズを小さくできる。
なお、本実施形態において、３つの直進溝ａ５と３つの直進溝ａ６とは、周方向において交互に配置されている。
【００６１】
７．第１レンズ群枠３１０及び第３化粧枠３０３の構成
図２１は、第１レンズ群枠３１０及び第３化粧枠３０３の斜視図である。図２２は、第１レンズ群枠３１０及び第３化粧枠３０３の分解斜視図である。ただし、図２２では、第１レンズ群枠３１０と第３化粧枠３０３の間に配置されるバリア機構６００（図３５参照）が省略されている。
【００６２】
第１レンズ群枠３１０（移動枠の一例）は、第１レンズ群枠本体３１１と、３つの直進突起Ａ４と、３つのカム突起Ｂ３と、３本のカム溝ｂ６と、を有する。
第１レンズ群枠本体３１１は、円筒状に形成され、内周面３１０Ｓと外周面３１０Ｔを有する。第１レンズ群枠本体３１１には、後方に向かって突出する３つの突出部３１１ａが形成されている。突出部３１１ａの後端面Ｓａは、後述するカム溝ｂ６が有するカム面Ｔａの後端を構成している。レンズ鏡筒２０のテレ状態（図３１参照）において、後端面Ｓａ上には第２回転枠２２０のカム突起Ｂ６が位置する。
【００６３】
ここで、後端面Ｓａ（カム面Ｔａを含む）は、カム突起Ｂ６の前面Ｒａと押し合った場合に互いに外れずに食い込む方向（すなわち、内側後方）に向かって傾斜するように形成されている。すなわち、後端面Ｓａ（カム面Ｔａを含む）の径方向外側は、後端面Ｓａ（カム面Ｔａを含む）の径方向内側よりも前方に位置している。そのため、後端面Ｓａ（カム面Ｔａを含む）上にカム突起Ｂ６が位置する場合に外力が掛かったとしても、後端面Ｓａ（カム面Ｔａを含む）によってカム突起Ｂ６が径方向内側に押しつけられる。従って、第１レンズ群枠３１０に前方から外力がかかった場合であっても、カム突起Ｂ６がカム溝ｂ６から外れることを抑制できる。なお、前面Ｒａが径方向内側後方へ傾斜する場合、後端面Ｓａは、傾斜していなくてもよいが、前面Ｒａおよび後端面Ｓａは、外力によって枠同士が互いに径方向へ押し付けられる方向に向かってそれぞれ傾斜していることが好ましい。
【００６４】
３つの直進突起Ａ４は、突出部３１１ａの外周面３１０Ｔに立設され、周方向において略等ピッチで配置される。３つの直進突起Ａ４は、第２直進枠１２０の３本の直進溝ａ４に係合される。
３つのカム突起Ｂ３は、突出部３１１ａの内周面３１０Ｓに立設され、周方向において略等ピッチで配置される。３つのカム突起Ｂ３は、第２回転枠２２０の３本のカム溝ｂ３に係合される。
【００６５】
本実施形態において、３つの直進突起Ａ４と３つのカム突起Ｂ３とは、突出部３１１ａを挟んで略反対に配置されている。
３本のカム溝ｂ６は、内周面３１０Ｓに形成される。３本のカム溝ｂ６には、第２回転枠２２０のカム突起Ｂ６が係合される。具体的には、カム溝ｂ６のカム面Ｔａに対してカム突起Ｂ６の前面Ｒａが当接された状態、又は、カム突起Ｂ６との間に小さい隙間を介した状態で摺動する。なお、上述の通り、カム面Ｔａの後端は、突出部３１１ａの後端面Ｓａによって構成されている。
【００６６】
第３化粧枠３０３（被覆枠の一例）は、第１レンズ群枠３１０の外周、すなわち、第１レンズ群枠３１０の側方及び前方を覆っている。第３化粧枠３０３は、３つの加締め部３０３ａ（被係止部の一例）と、１つの光軸方向位置決め部３０３ｂと、周方向位置決め部３０３ｃと、を有する。３つの加締め部３０３ａは、Ｌ字状に形成されており、第３化粧枠３０３の後端部から後方に向かって突出する。１つの光軸方向位置決め部３０３ｂは、第３化粧枠３０３のうち３つの加締め部３０３ａ以外の円筒部後端面であり、周方向位置決め部３０３ｃは、３つ加締め部３０３ａの内１つの近傍で光軸方向位置決め部３０３ｂから光軸と平行で後方に突出した形状となっている。１つの光軸方向位置決め部３０３ｂは、第１レンズ群枠３１０の３つの光軸方向当て部３１０ｅに当接する。３つの加締め部３０３ａそれぞれは、第１レンズ群枠３１０の突出部３１１ａに係止される。
【００６７】
ここで、図２３は、第１レンズ群枠３１０及び第３化粧枠３０３の部分拡大図である。加締め部３０３ａは、突出部３１１ａの外周面３１０Ｔに形成される凹部３１１ｂに係止される。具体的には、図２３において破線で示すように、加締め部３０３ａの先端が凹部３１１ｂ内に向かって折り曲げられることによって、加締め部３０３ａが凹部３１１ｂに加締められている。
【００６８】
このように、第３化粧枠３０３を第１レンズ群枠３１０に光軸方向で位置決めし、第３化粧枠３０３の一部を第１レンズ群枠３１０の外周面３１０Ｔに加締めることによって、第３化粧枠３０３と第１レンズ群枠３１０とを簡易かつ取り外し可能に精度良く連結することができる。従って、第１レンズ群枠３１０と第３化粧枠３０３の間に配置されるバリア機構（不図示）をメンテナンスする際には、第１レンズ群枠３１０から第３化粧枠３０３を容易に着脱することができる。
【００６９】
さらに、３つの直進突起Ａ４、３つのカム突起Ｂ３および３つの凹部３１１ｂは、３つの突出部３１１ａにそれぞれ配置されている。そのため、収納状態において、３つの突出部３１１を第２回転枠２２０のフランジ凹部２２２ａ内に配置するとともに、突出部３３１ａ以外の後端面を第２回転枠２２０のフランジ部２２２に対向して配置することができる。したがって、カム溝ｂ３のストロークを長くとりつつ、レンズ鏡筒２０の光軸方向の小型化を実現できる。
なお、図２４に示すように、第３化粧枠３０３は、周方向位置決め部３０３ｃを有していてもよい。周方向位置決め部３０３ｃは、第１レンズ群枠３１０の周方向当て部３１０ｆに当接する。この場合、第３化粧枠３０３を第１レンズ群枠３１０によって光軸方向だけでなく周方向においても位置決めすることができる。
【００７０】
８．第２レンズ群枠３２０の構成
図２５は、第２レンズ群枠３２０の斜視図である。
第２レンズ群枠３２０は、第２レンズ群枠本体３２１と、３つの直進突起Ａ５と、３つのカム突起Ｂ４と、を有する。
第２レンズ群枠本体３２１は、コップ状に形成され、外周面３２０Ｔを有する。
３つの直進突起Ａ５は、外周面３２０Ｔの後端部上に形成され、周方向において略等ピッチで配置される。３つの直進突起Ａ５は、第３直進枠１３０の３本の直進溝ａ５に係合される。
３つのカム突起Ｂ４は、３つの直進突起Ａ５上に形成される。３つのカム突起Ｂ４は、第２回転枠２２０の３本のカム溝ｂ４に係合される。
【００７１】
９．第３レンズ群枠３３０の構成
図２６では、シャッター枠３３５の内部に第３レンズ群枠３３０が収容された状態が図示されている。図２６を用いて、第３レンズ群枠３３０の構成を説明する。
第３レンズ群枠３３０すなわちＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、像ぶれ補正用の第３レンズ群Ｌ３と、を有している。
ＯＩＳ枠４００は、シャッター枠３３５に装着されている。具体的には、ＯＩＳ枠４００は、光軸と垂直な面内で移動可能である。より具体的には、図示しないマグネットが、ＯＩＳ枠４００に固定されており、図示しないコイルが、マグネットに対向する位置においてシャッター枠３３５に固定されている。この状態において、電力が、図示しないカメラ回路からシャッター枠のコイルに供給されると、コイルに電流が流れ磁界が発生する。この磁界によってＯＩＳ枠４００のマグネットが駆動され、この駆動力によりＯＩＳ枠４００が光軸と垂直な面内で移動する。
【００７２】
退避レンズ枠４０１は、光軸と略平行な退避軸回りに移動可能に、ＯＩＳ枠４００に保持されている。退避レンズ枠４０１は、第３レンズ群Ｌ３が像ぶれ補正を実行可能な補正可能位置（第１姿勢）から、第３レンズ群Ｌ３が光軸から退避した退避位置（第２姿勢）へと、その位置を変更可能である。退避レンズ枠４０１は、少なくとも１つのレンズから構成される第３レンズ群Ｌ３を、保持している。
【００７３】
１０．シャッター枠３３５の構成
続いて、図２６を参照しながら、シャッター枠３３５の構成について説明する。
シャッター枠３３５は、シャッター枠本体３３６と、３つの直進突起Ａ６と、３つのカム突起Ｂ５と、を有する。
シャッター枠本体３３６は、円筒状に形成され、外周面３３５Ｔを有する。
【００７４】
３つの直進突起Ａ６は、外周面３３５Ｔ上に形成され、周方向において略等ピッチで配置される。３つの直進突起Ａ６は、第３直進枠１３０の３本の直進溝ａ６に係合される。
３つのカム突起Ｂ５は、３つの直進突起Ａ６の前端部に立設される。３つのカム突起Ｂ５は、第２回転枠２２０の３本のカム溝ｂ５に係合される。
ここで、図２７及び図２８は、第３直進枠１３０の内側でシャッター枠３３５が移動する様子を説明するための図である。
【００７５】
３つの直進突起Ａ６は、３本の直進溝ａ６の内部を前後に移動する。図２８に示すように、第３直進枠１３０の内側にシャッター枠３３５が収容された場合、直進突起Ａ６の前端部は、押さえ部１３４の突出部１３４ａの内側に配置される。これによって、直進突起Ａ６の移動量、すなわち、第３レンズ群Ｌ３の移動量の増大が実現されている。
【００７６】
１１．枠どうしの係合
図２９乃至図３１は、レンズ鏡筒２０の断面図である。ただし、図２９乃至図３１は、光軸ＡＸを通る複数の切断面が組み合わされた模式図である。なお、図２９では、レンズ鏡筒２０の沈胴状態が図示され、図３０では、レンズ鏡筒２０のワイド状態が図示され、図３１では、レンズ鏡筒２０のテレ状態が図示されている。本実施形態において、デジタルカメラ１の撮影可能状態とは、レンズ鏡筒２０のワイド状態からテレ状態までの状態を意味する。
【００７７】
第１回転枠２１０のギア部２１２は、ズームギア２４２に噛合される（不図示）。第１回転枠２１０のカムフォロアＢ１は、固定枠１００のカム溝ｂ１に係合される。従って、第１回転枠２１０は、ズームモータ２４１の駆動力によって周方向に回転しながら光軸方向に移動可能である。
第１直進枠１１０の直進突起Ａ１は、固定枠１００の直進溝ａ１に係合される。第１直進枠１１０のバヨネット溝ｅ１には、第１回転枠２１０のバヨネット突起Ｅ１が係合される。従って、第１直進枠１１０は、第１回転枠２１０とともに光軸方向に直進可能である。
【００７８】
第２直進枠１２０の直進カムフォロアＡＢ２は、第１回転枠２１０のカム溝ｂ２に挿通され、かつ、第１直進枠１１０の直進溝ａ２に係合される。従って、第２直進枠１２０は、第１回転枠２１０の回転に応じて、光軸方向に直進可能である。
第２回転枠２２０の直進突起Ａ３は、第１回転枠２１０の直進溝ａ３に係合される。また、第２回転枠２２０のバヨネット突起Ｅ２は、第２直進枠１２０のバヨネット溝ｅ２に係合される。従って、第２回転枠２２０は、第１回転枠２１０とともに周方向に回転しながら、第２直進枠１２０とともに光軸方向に移動可能である。
【００７９】
第３直進枠１３０の係止凹部１３３には、第２直進枠１２０の係止部１２２が係止される。また、第３直進枠１３０のバヨネット突起Ｅ３は、第２回転枠２２０のバヨネット溝ｅ３に係合される。第２回転枠２２０の３つの直進突起Ａ３同士の間隔のうち少なくとも２つの間隔が略１２０°以上離れて配置され、第２直進枠１２０の２つの係止部１２２同士の間隔も同じく略１２０°以上離れて配置されており、ズーム駆動時の互いの相対回転角が略１２０°以下にされている。そのため、第３直進枠１３０は、第２回転枠２２０の回転に干渉することなく、第２直進枠１２０とともに光軸方向に直進可能である。
【００８０】
２つの係止部１２２の一方が他方よりも周方向に長く形成されているのに対応して、２つの係止凹部１３３の一方が他方よりも周方向に長く形成されているが、第３直進枠１３０が、第２回転枠２２０の回転に干渉しない範囲で周方向に長くすることが望ましい。
また、第２回転枠２２０の３つの直進突起Ａ３同士の間隔のうち少なくとも２つの間隔が略１５０°で、第２直進枠１２０の２つの係止部１２２の間隔も同じく略１５０°であり、ズーム駆動時の互いの相対回転角が略１５０°以下とされている。そのため、第３直進枠１３０が第２回転枠２２０の回転に干渉することはない。さらに、他の角度でも同様である。
【００８１】
第１レンズ群枠３１０の直進突起Ａ４は、第２直進枠１２０の直進溝ａ４に係合される。また、第１レンズ群枠３１０のカム突起Ｂ３は、第２回転枠２２０のカム溝ｂ３に係合される。従って、第１レンズ群枠３１０は、第２回転枠２２０の回転に応じて、光軸方向に直進可能である。
第２レンズ群枠３２０の直進突起Ａ５は、第３直進枠１３０の直進溝ａ５に係合される。また、第２レンズ群枠３２０のカム突起Ｂ４は、第２回転枠２２０のカム溝ｂ４に係合される。従って、第２レンズ群枠３２０は、第２回転枠２２０の回転に応じて、光軸方向に直進可能である。
【００８２】
シャッター枠３３５の直進突起Ａ６は、第３直進枠１３０の直進溝ａ６に係合される。また、シャッター枠３３５のカム突起Ｂ５は、第２回転枠２２０のカム溝ｂ５に係合される。従って、シャッター枠３３５は、第２回転枠２２０の回転に応じて、光軸方向に直進可能である。
シャッター枠３３５には、第３レンズ群枠３３０が装着されており、シャッター枠３３５が第３直進枠１３０に対して光軸方向に直進すると、第３レンズ群枠３３０の退避レンズ枠４０１が、図示しない退避機構によって回動させられる。これにより、沈胴状態から撮影可能状態に移行する際には、退避レンズ枠４０１は、退避位置から補正可能位置へと移動する。また、撮影可能状態から沈胴状態に移行する際には、退避レンズ枠４０１は、補正可能位置から退避位置へと移動する。退避レンズ枠４０１が補正可能位置に配置された場合、第３レンズ群L３は、光軸と垂直な面内で移動可能である。すなわち、この状態では、像ぶれ補正が可能である。
【００８３】
以上のように、ズームモータ２４１の駆動力による第１回転枠２１０および第２回転枠２２０の回転によって、第１乃至第３直進枠１１０〜１３０と各レンズ群枠３１０，３２０，３３５の直進が実現されている。
ここで、図３２は、図３１の部分拡大図であり、第１直進枠１１０と第１回転枠２１０とのバヨネット機構周辺を示す図である。
【００８４】
図３２に示すように、バヨネット溝ｅ１の第１溝ｅ１１には、バヨネット突起Ｅ１の第１突起Ｅ１１が係合されている。また、バヨネット溝ｅ１の第２溝ｅ１２には、バヨネット突起Ｅ１の第２突起Ｅ１２が係合されている。
このように、階段状の凹部であるバヨネット溝ｅ１に階段状の凸部であるバヨネット突起Ｅ１が嵌められているので、例えば、第１回転枠２１０に光軸方向の外力が加えられた場合に、バヨネット突起Ｅ１がバヨネット溝ｅ１から外れることを抑制できる。
【００８５】
より具体的には、図３３に示すように、第１回転枠２１０に光軸方向の外力が加えられた場合に、バヨネット突起Ｅ１は根元を中心に前方（図３３上では半時計方向）に倒れるように、第１回転枠２１０が変形しようとする。このとき、バヨネット突起Ｅ１は、左側面の断面形状が階段状であるため、引っ掛かる角Ｅ１１’、Ｅ１２’が２個ある。そのため、バヨネット溝ｅ１とバヨネット突起Ｅ１とが互いに引っ掛かり、第１回転枠２１０が第１直進枠１１０から外れること抑制できる。
【００８６】
ここで、バヨネット突起の形状として、図３４に示すような、前方の断面形状がテーパー状であるものも考えられる。しかし、このようなバヨネット突起は、前方に倒れるように第１回転枠２１０が変形しようとしても引っ掛かる角が無い。そのためバヨネット溝とバヨネット突起とが互いに滑ってしまい、第１回転枠２１０が第１直進枠１１０から外れてしまうおそれがある。
【００８７】
〈レンズ鏡筒２０の組立て方法〉
以下において、レンズ鏡筒２０の組立て方法について説明する。
まず、第２回転枠２２０の後方から第３直進枠１３０を挿入する。続いて、第３直進枠１３０を周方向に回転させてテレ状態にする。
次に、第３直進枠１３０の後方から第２レンズ群枠３２０を挿入する。
【００８８】
次に、ＯＩＳ枠４００の前方から退避レンズ枠４０１を挿入し、退避レンズ枠４０１にＯＩＳ枠４００を回動可能に取り付ける。
次に、シャッター枠３３５の前方からＯＩＳ枠４００を挿入する。
次に、第３直進枠１３０の後方からシャッター枠３３５を挿入する。
続いて、第２レンズ群枠３２０を周方向に回転させて沈胴状態にする。
【００８９】
次に、第１レンズ群枠３１０の後方から第２回転枠２２０を挿入する。
次に、第１レンズ群枠３１０の前方から第２直進枠１２０を被せる。
次に、第１直進枠１１０の後方から第１回転枠２１０を挿入する。続いて、第１回転枠２１０の後方から第２直進枠１２０を挿入する。
次に、固定枠１００の後方から第１直進枠１１０を挿入する。
最後に、各枠を回転させることによって沈胴状態にする。
【００９０】
〈バヨネット機構の作用及び効果〉
レンズ鏡筒２０は、バヨネット溝ｅ１を有する第１直進枠１１０（第１枠の一例）と、バヨネット突起Ｅ１を有する第１回転枠２１０（第２枠の一例）と、を備える。バヨネット溝ｅ１の径方向深さは、第１直進枠１１０の軸心方向に沿って段階的に変化する。バヨネット突起Ｅ１の径方向高さは、バヨネット溝ｅ１の形状に対応して段階的に変化する。
【００９１】
このように、階段状の凹部であるバヨネット溝ｅ１に階段状の凸部であるバヨネット突起Ｅ１が嵌められているので、例えば、第１回転枠２１０に光軸方向の外力が加えられた場合に、バヨネット突起Ｅ１がバヨネット溝ｅ１から外れることを抑制できる。従って、第１直進枠１１０と第１回転枠２１０とを係合するバヨネット機構による係合強度を向上させることができる。
また、バヨネット溝ｅ１と交差する直進溝ａ２に係合される直進突起ＡＢ２の光軸方向幅σを小さくしつつ、バヨネット突起Ｅ１の機械的強度を向上させることができる。
【００９２】
〈バリア機構６００の構成〉
次に、バリア機構６００について説明する。図３５は、第３移動鏡筒部２３の分解斜視図を示す。図３６は、収納状態における第３移動鏡筒部２３に係る、（Ａ）正面図および（Ｂ）Ａ−Ａ断面図を示す。図３７は、撮影可能状態における第３移動鏡筒部２３に係る、（Ａ）正面図および（Ｂ）Ａ−Ａ断面図を示す。
【００９３】
図２１および３５に示すように、バリア機構６００は、カムリング６０１、内側羽根６１０、外側羽根６２０、閉じバネ６４０、開きバネ６５０、バリア前カバー６３０から構成される。図３６および３７に示すように、バリア機構６００は、第１レンズ群枠３１０と第３化粧枠３０３との間に配置される。バリア機構６００は、第１レンズ群枠３１０の前面に取り付けられ、前面を第３化粧枠３０３で覆われている。
【００９４】
まず、バリア機構６００を支持する第１レンズ群枠３１０の構成について説明する。
図３５に示すように、第１レンズ群枠３１０は、連動孔３１０ｄ、２つの羽根回転軸３１０ａ、１つのバネ固定部３１０ｃ、４つの前カバー固定部３１０ｂ、前カバー当て部３１０ｅ、を有する。連動孔３１０ｄは、第１レンズ群Ｌ１取付部の周囲に光軸方向へ貫通するように設けられ、カムリング６００を回転自在に支持する。２つの羽根回転軸３１０ａは、内側羽根６１０及び外側羽根６２０を回動自在に支持する。バネ固定部３１０ｃは、開きバネ６５０の一端を固定する。４つの前カバー固定部３１０ｂは、バリア前カバー６３０をいわゆるパッチン止めで固定する。前カバー当て部３１０ｅは、バリア前カバー６３０と当接し、バリア前カバー６３０の第１レンズ群枠３１０に対する高さ（すなわち光軸方向位置）を決めている。
【００９５】
次にバリア機構６００の構成の詳細について説明する。
カムリング６０１は、円盤状の樹脂成形部材である。図２１および３５に示すように、カムリング６０１は、２つの駆動伝達突起６０２と、１つの開きバネ固定部６０３と、２つの閉じバネ固定部６０４と、１つの連動爪６０５と、を有する。２つの駆動伝達突起６０２は、内側羽根６１０を駆動する。開きバネ固定部６０３は、開きバネ６５０の一端を固定する。２つの閉じバネ固定部６０４は、閉じバネ６４０の一端を固定する。連動爪６０５は、連動孔３１０ｄに回転自在に嵌め込まれている。連動爪６０５は、第２回転枠２２０の不図示の回転伝達部からの回転力をカムリング６０１に伝える。
【００９６】
カムリング６０１は、バヨネット結合により、第１レンズ群枠３１０前面に光軸方向一体で回転自在に係合する。バリアが閉じ方向に動作するときには、カムリング６０１は連動爪６０５に第２回転枠２２０から回転力が伝えられる。
内側羽根６１０は、平板状の板金部材である。図３５および３６に示すように、内側羽根６１０は、光軸を中心に２枚が回転対称位置に配置される。ここで、図３８は、内側羽根６１０に係る（Ａ）正面図、（Ｂ）側面図および（Ｃ）斜視図を示す。図３８に示すように、内側羽根６１０は、第１孔６１１と、内羽根突起６１２と、羽根部６１３と、くびれ形状部６１４と、羽根後ろ面６１５と、を有する。第１孔６１１は、第１レンズ群枠３１０の羽根回転軸３１０ａに嵌めこまれる。内羽根突起６１２は、内側羽根６１０を回転させるために、カムリング６０１の駆動伝達突起６０２から駆動力を受ける。内羽根突起６１２は、第１開口部３０３ａを覆うための羽根部６１３から略９０°屈曲した形状をしている。内羽根突起６１２は、外側羽根６２０との開方向伝達部及び閉方向伝達部を有している。くびれ形状部６１４は、内側羽根６１０の上述の屈曲部近傍に構成されている。くびれ形状部６１４は、後述する閉じバネ６４０のフック部が嵌めこまれる。くびれ形状部６１４は、更に閉じバネ６４０の一端を固定する役目も有し、閉じバネ６４０のフック部が嵌ると抜けにくくなる。結局、内羽根突起６１２は、閉じバネ６４０のバネ力により、カムリング６０１の駆動伝達突起６０２に押付けられた状態となっている。羽根部６１３は、光路を覆う。羽根後ろ面６１５は、羽根の光軸方向後ろ側の面である。
【００９７】
内側羽根６１０は、第１レンズ群枠３１０の羽根回転軸３１０ａに内側羽根６１０の第１孔６１１が嵌って、羽根回転軸３１０ａ回りに回転する。内羽根突起６１２にカムリング６０１の駆動伝達突起６０２が当接し、くびれ形状部６１４に閉じバネ６４０のフックが掛かった状態で、カムリング６０１からの駆動力が伝達される（図３９参照）。
外側羽根６２０は、平板状の板金部材である。図３５および３６に示すように、外側羽根６２０は、光軸を中心に２枚が回転対称位置に配置される。外側羽根６２０は、第１レンズ群枠３１０の羽根回転軸３１０ａに嵌る第２孔６２１と、内側羽根６１０との開方向伝達部及び閉方向伝達部を有する。
【００９８】
外側羽根６２０は、第１レンズ群枠３１０の羽根回転軸３１０ａに内側羽根６１０の第２孔６２１が嵌って、開方向伝達部及び閉方向伝達部から駆動力が伝達される。第１レンズ群枠３１０の羽根回転軸３１０ａには、まず内側羽根６１０を嵌め、その上から外側羽根６２０を嵌める。
閉じバネ６４０は、引張りコイルバネであり、捻り応力により引張り力を発生する本体部とその両側のフック部から成る。ここで、図３９は、第３移動鏡筒部２３の他の断面図である。図３９に示すように、フック部は本体部の中心軸上からオフセットされた位置に構成されており、一端を内羽根突起６１２のくびれ形状部６１４に引っ掛け、もう一端をカムリング６０１の閉じバネ固定部６０４に引っ掛ける。その際、閉じバネ６４０のフック部が羽根部６１３の羽根後ろ面６１５に略接する状態となる。
【００９９】
開きバネ６５０は引張りコイルバネであり、一端をカムリング６０１の開きバネ固定部６０３に引っ掛け、もう一端を第１レンズ群枠３１０のバネ固定部３１０ｃに引っ掛ける。開きバネ６５０の力により、カムリング６０１は開き方向に回転することができる。
バリア前カバー６３０は、平板状の板金部材である。ここで、図４０は、バリア前カバー６３０に係る、（Ａ）正面図および（Ｂ）Ａ−Ａ断面図を示す。図４０に示すように、バリア前カバー６３０は、４つのパッチン爪部６３１と、２つの１群枠当て部６３２と、２つの内側羽根閉じストッパー６３３と、第２開口部６３４と、２つの外側羽根閉じストッパー６３５と、羽根当接面６３６と、前カバー後ろ側面６３７と、第２平面部６３８と、を有する。４つのパッチン爪部６３１は、いわゆるパッチン止めで第１レンズ群枠３１０の前カバー固定部３１０ｂと係合される。２つの１群枠当て部６３２は、バリア前カバー６３０の第１レンズ群枠３１０に対する高さ、すなわち光軸方向位置、を決める。２つの内側羽根閉じストッパー６３３は、内側羽根６１０の閉じ側の位置を決める。第２開口部６３４は、第１レンズ群Ｌ１への光路を確保する。２つの外側羽根閉じストッパー６３５は、外側羽根６２０の閉じ側の位置を決める。羽根当接面６３６は、内側羽根６１０と外側羽根６２０が第１レンズ群枠３１０の羽根回転軸３１０ａから抜けないようにする。前カバー後ろ側面６３７は、光軸方向後ろ側の面である。第２平面部６３８は、第２開口部６３４を構成する。
【０１００】
図３６および３７に示すように、バリア前カバー６３０の第２開口部６３４を構成する第２平面部６３８の厚さは、内側羽根６１０又は外側羽根６２０の厚さよりも薄い。又、バリア前カバー６３０の第２開口部６３４を構成する第２平面部６３８の厚さは、第３化粧枠３０３の第１開口部３０３ａを構成する第１平面部３０３ｂの厚さよりも薄い。
図４０に示すように、内側羽根閉じストッパー６３３は、内側羽根６１０が当接する内側羽根当接部６３３ａを有し、内側羽根当接部６３３ａは光軸に対して傾いている。内側羽根当接部６３３ａの光軸に対する傾きは、内側羽根６１０が内側羽根当接部６３３ａに当接したときに、バリア前カバー６３０の前カバー後ろ側面６３７と密着する方向に力が掛かるよう、設定される。外側羽根閉じストッパー６３５も、外側羽根６２０が当接する外側羽根当接部６３５ａを有し、外側羽根当接部６３５ａは内側羽根当接部６３３ａと同じ理由で光軸に対して傾いている。
【０１０１】
羽根当接面６３６は前カバー後ろ側面６３７よりもさらに光軸方向後ろ側に構成され、第１レンズ群枠３１０の羽根回転軸３１０ａの光軸方向高さよりも光軸方向後ろ側に配置される、すなわち羽根回転軸３１０ａと羽根当接面６３６は光軸方向でオーバーラップしている。
バリア前カバー６３０は、１群枠当て部６３２を第１レンズ群枠３１０の前カバー当て部３１０ｅに当接させ、パッチン爪部６３１と第１レンズ群枠３１０の前カバー固定部３１０ｂをパッチン止めし、第１レンズ群枠３１０に対して固定される。図３６および３７に示すように、バリア前カバー６３０は第１レンズ群枠３１０に取付いた状態で、羽根当接面６３６が外側羽根６２０の光軸方向前側の面と小さい空間を隔てて当接する。この状態では、外側羽根６２０には内側羽根６１０が光軸方向で当接しているので、バリア前カバー６３０が第１レンズ群枠３１０に取付いた状態では、外側羽根６２０及び内側羽根６１０が羽根回転軸３１０ａから外れてしまうことがない。
【０１０２】
最後に、バリア機構６００の前面を覆う第３化粧枠３０３の構成について説明する。
第３化粧枠３０３は、第１レンズ群枠３１０の外周を覆う円筒状の板金部材である。図３６および図３７に示すように、第３化粧枠３０３は、第１レンズ群Ｌ１への光路を確保する為の第１開口部３０３ａと、第１開口部３０３ａを構成する第１平面部３０３ｂと、を有する。第１開口部３０３ａは、バリア前カバー６３０の第２開口部６３４よりも小さい。従って、第１レンズ群Ｌ１への光路の大きさは、結局、第１開口部３０３ａで決まることになる。なお、本実施の形態では、第１開口部３０３ａで第１レンズ群Ｌ１への光路の大きさが決められているが、これに限られず、例えば、バリア前カバー６３０で決められてもよい。
【０１０３】
次に、バリア機構６００の組み立てについて説明する。
バリア機構６００の組み立て順は、１番目に第１レンズ群枠３１０にカムリング６０１、２番目に内側羽根６１０、３番目に閉じバネ６４０、４番目に外側羽根６２０、５番目にバリア前カバー６３０、６番目に開きバネ６５０を取付ける。
次にバリア機構６００の動作について説明する。
【０１０４】
カムリング６０１の連動爪６０５に駆動力が伝えられていない状態では、開きバネ６５０の作用により、カムリング６０１は光軸を中心として開き方向に回転する。カムリング６０１が開き方向に回転すると、カムリング６０１の駆動伝達突起６０２が内側羽根６１０の内羽根突起６１２を押す。内側羽根６１０の内羽根突起６１２が押されると、内側羽根６１０は、第１レンズ群枠３１０の羽根回転軸３１０ａを中心に開く方向に回転する。内側羽根６１０が開く方向に回転すると、開方向伝達部により、外側羽根６２０が羽根回転軸３１０ａを中心に開く方向に回転する。外側羽根６２０には開方向ストッパーが設けられており、外側羽根６２０の開方向ストッパーが第３化粧枠３０３の内径部と当接することで、外側羽根６２０は停止する。外側羽根６２０が停止すると、連動して内側羽根６１０も停止し、カムリング６０１の開方向への回転は停止する。
【０１０５】
羽根が開いている状態から閉じている状態に移行する場合では、第２回転枠２２０の不図示の回転伝達部からの回転力がカムリング６０１の連動爪６０５に伝えられると、開きバネ６５０の作用に抗して、カムリング６０１は光軸を中心として閉じ方向に回転する。カムリング６０１が閉じ方向に回転すると、閉じバネ６４０の作用により内側羽根６１０はカムリング６０１の回転に連動して閉方向に回転する。内側羽根６１０が閉じる方向に回転すると、閉方向伝達部により、外側羽根６２０が羽根回転軸３１０ａを中心に閉じる方向に回転する。バリア前カバー６３０には内側羽根閉じストッパー６３３と外側羽根閉じストッパー６３５が設けられている。カムリング６０１は閉じ方向に回転すると、２つの内側羽根６１０どうしが当接して、カムリング６０１の閉方向への回転は停止する。羽根６１０どうしが当接して停止するのとほぼ同じタイミングか少し遅れて、内側羽根閉じストッパー６３３と外側羽根閉じストッパー６３５にそれぞれ内側羽根６１０と外側羽根６２０が当接する。このとき、内側羽根当接部６３３ａは光軸に対して傾いているので、内側羽根６１０はバリア前カバー６３０の前カバー後ろ側面６３７と密着する方向に力が掛かり、内側羽根６１０と内側羽根閉じストッパー６３３の係合が外れることはない。同様に、外側羽根当接部６３５ａは光軸に対して傾いているので、外側羽根６２０と外側羽根閉じストッパー６３５の係合が外れることはない。
内側羽根閉じストッパー６３３と外側羽根閉じストッパー６３５は通常駆動時の羽根閉じタイミングの行き過ぎを防止することができるが、閉じている羽根を無理やり開けようとしたときの破壊抑制効果もある。
【０１０６】
〈バリア機構の作用及び効果〉
（１）閉じバネ６４０のフック部は本体部の中心軸上からオフセットされた位置に構成されており、片側を内側羽根６１０の内羽根突起６１２の屈曲部近傍にあるくびれ形状部６１４に引っ掛け、もう片側をカムリング６０１の閉じバネ固定部６０４に引っ掛ける。その際、閉じバネ６４０のフック部が羽根部６１３の羽根後ろ面６１５に略接する状態となる。
【０１０７】
このようにすれば、内側羽根６１０のくびれ形状部６１４は内羽根突起６１２の屈曲部近傍、すなわち内側羽根６１０の羽根部６１３近傍にあり、閉じバネ６４０のバネ力は内側羽根６１０のくびれ形状部６１４にかかるので、結局、閉じバネ６４０のバネ力は、内側羽根６１０の厚み方向においてほぼ羽根部６１３近傍に掛かることになる。それにより、閉じバネ６４０の第１孔６１１も内側羽根６１０の厚み方向においてほぼ羽根部６１３近傍にあるので、内側羽根６１０が閉じバネ６４０のバネ力により内側羽根６１０が第１レンズ群枠３１０の羽根回転軸３１０ａに対して傾くことを抑制できる。
その結果、バリア機構６００の駆動負荷が低減され、モーター駆動部の小型化が達成できる。
【０１０８】
（２）内側羽根６１０及び外側羽根６２０及びバリア前カバー６３０は、平板状の板金部材である。第３化粧枠３０３は、円筒状の板金部材であるが、第１レンズ群Ｌ１の光軸方向前方の第１平面部３０３ｂは平板状となっている。第３化粧枠３０３の第１開口部３０３ａは、バリア前カバー６３０の第２開口部６３４よりも小さい。又、バリア前カバー６３０の第２開口部６３４を構成する第２平面部６３８の厚さは、内側羽根６１０又は外側羽根６２０の厚さよりも薄い。又、バリア前カバー６３０の第２開口部６３４を構成する第２平面部６３８の厚さは、第３化粧枠３０３の第１開口部３０３ａを構成する第１平面部３０３ｂの厚さよりも薄い。
【０１０９】
このようにすれば、第３化粧枠３０３及び内側羽根６１０及び外側羽根６２０は人間が指で触れることができるが板厚が厚いので、創傷等の事故発生を抑制することができる。又、バリア前カバー６３０は板厚は薄いが第２開口部６３４が第３化粧枠３０３の第１開口部３０３ａにより隠れているので、人間が指で触れることがなくなり、創傷等の事故発生を抑制することができる。
結果、レンズ鏡筒２０の光軸方向の小型化が達成できる。
【０１１０】
（３）カムリング６０１が閉じ方向に回転すると、バリア前カバー６３０の内側羽根閉じストッパー６３３と外側羽根閉じストッパー６３５にそれぞれ内側羽根６１０と外側羽根６２０が当接する。このとき、内側羽根当接部６３３ａは光軸に対して傾いている。同様に、外側羽根当接部６３５ａは光軸に対して傾いている。
このようにすれば、内側羽根６１０はバリア前カバー６３０の前カバー後ろ側面６３７と密着する方向に力が掛かり、内側羽根６１０と内側羽根閉じストッパー６３３の係合が外れることを抑制できる。同様に、外側羽根当接部６３５ａも外側羽根６２０と外側羽根閉じストッパー６３５の係合が外れることを抑制できる。内側羽根閉じストッパー６３３と外側羽根閉じストッパー６３５は通常駆動時の羽根閉じタイミングの行き過ぎを防止することができるが、閉じている羽根を無理やり開けようとしたときの破壊抑制効果もある。その結果、余計にストッパー部のサイズを大きくしなくてすみ、小型化が達成できる。
【０１１１】
（４）内側羽根６１０及び外側羽根６２０及びバリア前カバー６３０は、平板状の板金部材である。第３化粧枠３０３は、円筒状の板金部材であるが、第１レンズ群Ｌ１の光軸方向前方の第１平面部３０３ｂは平板状となっている。第３化粧枠３０３の第１開口部３０３ａは、バリア前カバー６３０の第２開口部６３４よりも小さい。又、バリア前カバー６３０の第２開口部６３４を構成する第２平面部６３８の厚さは、内側羽根６１０又は外側羽根６２０の厚さよりも薄い。又、バリア前カバー６３０の第２開口部６３４を構成する第２平面部６３８の厚さは、第３化粧枠３０３の第１開口部３０３ａを構成する第１平面部３０３ｂの厚さよりも薄い。
【０１１２】
カムリング６０１が閉じ方向に回転すると、バリア前カバー６３０の内側羽根閉じストッパー６３３と外側羽根閉じストッパー６３５にそれぞれ内側羽根６１０と外側羽根６２０が当接する。このとき、内側羽根当接部６３３ａは光軸に対して傾いている。同様に、外側羽根当接部６３５ａは光軸に対して傾いている。
このようにすれば、第３化粧枠３０３及び内側羽根６１０及び外側羽根６２０は人間が指で触れることができるが板厚が厚いので、創傷等の事故発生を抑制することができる。又、バリア前カバー６３０は板厚は薄いが第２開口部６３４が第３化粧枠３０３の第１開口部３０３ａにより隠れているので、人間が指で触れることがなくなり、創傷等の事故発生を抑制することができる。
【０１１３】
また、内側羽根６１０はバリア前カバー６３０の前カバー後ろ側面６３７と密着する方向に力が掛かり、内側羽根６１０と内側羽根閉じストッパー６３３の係合が外れることを抑制できる。同様に、外側羽根当接部６３５ａも外側羽根６２０と外側羽根閉じストッパー６３５の係合が外れることを抑制できる。内側羽根閉じストッパー６３３と外側羽根閉じストッパー６３５は通常駆動時の羽根閉じタイミングの行き過ぎを防止することができるが、閉じている羽根を無理やり開けようとしたときの破壊抑制効果もある。その結果、レンズ鏡筒２０の小型化が達成できる。
【０１１４】
（５）バリア前カバー６３０の羽根当接面６３６は、前カバー後ろ側面６３７よりもさらに光軸方向後ろ側に構成され、第１レンズ群枠３１０の羽根回転軸３１０ａの光軸方向高さよりも光軸方向後ろ側に配置される、すなわち羽根回転軸３１０ａと羽根当接面６３６は光軸方向でオーバーラップしている。バリア前カバー６３０は第１レンズ群枠３１０に取付いた状態で、羽根当接面６３６が外側羽根６２０の光軸方向前側の面と小さい空間を隔てて当接する。
【０１１５】
このようにすれば、外側羽根６２０には内側羽根６１０が光軸方向で当接し、バリア前カバー６３０には外側羽根６２０が当接しているので、バリア前カバー６３０が第１レンズ群枠３１０に取付いた状態では、外側羽根６２０及び内側羽根６１０が羽根回転軸３１０ａから外れてしまうことが抑制される。よって、落下等大きな力がレンズ鏡筒２０に掛かってもバリア機構６０が壊れることを抑制することができる。その結果、レンズ鏡筒２０の光軸方向の小型化が達成できる。
【０１１６】
（６）内側羽根６１０及び外側羽根６２０及びバリア前カバー６３０は、平板状の板金部材である。第３化粧枠３０３は、円筒状の板金部材であるが、第１レンズ群Ｌ１の光軸方向前方の第１平面部３０３ｂは平板状となっている。第３化粧枠３０３の第１開口部３０３ａは、バリア前カバー６３０の第２開口部６３４よりも小さい。又、バリア前カバー６３０の第２開口部６３４を構成する第２平面部６３８の厚さは、内側羽根６１０又は外側羽根６２０の厚さよりも薄い。又、バリア前カバー６３０の第２開口部６３４を構成する第２平面部６３８の厚さは、第３化粧枠３０３の第１開口部３０３ａを構成する第１平面部３０３ｂの厚さよりも薄い。バリア前カバー６３０の羽根当接面６３６は、前カバー後ろ側面６３７よりもさらに光軸方向後ろ側に構成され、第１レンズ群枠３１０の羽根回転軸３１０ａの光軸方向高さよりも光軸方向後ろ側に配置される、すなわち羽根回転軸３１０ａと羽根当接面６３６は光軸方向でオーバーラップしている。バリア前カバー６３０は第１レンズ群枠３１０に取付いた状態で、羽根当接面６３６が外側羽根６２０の光軸方向前側の面と小さい空間を隔てて当接する。
【０１１７】
このようにすれば、第３化粧枠３０３及び内側羽根６１０及び外側羽根６２０は人間が指で触れることができるが板厚が厚いので、創傷等の事故発生を抑制することができる。又、バリア前カバー６３０は板厚は薄いが第２開口部６３４が第３化粧枠３０３の第１開口部３０３ａにより隠れているので、人間が指で触れることがなくなり、創傷等の事故発生を抑制することができる。
【０１１８】
又、外側羽根６２０には内側羽根６１０が光軸方向で当接し、バリア前カバー６３０には外側羽根６２０が当接しているので、バリア前カバー６３０が第１レンズ群枠３１０に取付いた状態では、外側羽根６２０及び内側羽根６１０が羽根回転軸３１０ａから外れてしまうことが抑制される。よって、落下等大きな力がレンズ鏡筒２０に掛かってもバリア機構６００が壊れることを抑制できる。その結果、レンズ鏡筒２０の小型化が達成できる。
【０１１９】
〈その他の実施形態〉
（Ａ）上記実施形態において、レンズ鏡筒２０は、第１直進枠１１０と第２直進枠１２０と第１レンズ群枠３１０とによる３段沈胴式であることとしたが、これに限られるものではない。レンズ鏡筒２０は、第１直進枠１１０と第２直進枠１２０とによる２段沈胴式であってもよい。この場合、レンズ鏡筒２０は、第２回転枠２２０および第３直進枠１３０を備えていなくてもよい。さらに、レンズ鏡筒２０は、４段以上の沈胴式であってもよい。
【０１２０】
（Ｂ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
【０１２１】
（Ｃ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【０１２２】
（Ｄ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【０１２３】
（Ｅ）上記実施形態では、第３レンズ群枠３３０が沈胴状態において第２レンズ群枠３２０の側方に退避することとしたが、これに限られるものではない。第３レンズ群枠３３０は、沈胴状態において第２レンズ群枠３２０の後方に配置されてもよい。
【０１２４】
（Ｆ）上記実施形態では、第１直進枠１１０と第１回転枠２１０とのバヨネット機構に着目して説明したが、これに限られるものではない。上述のバヨネット溝ｅ１とバヨネット突起Ｅ１との構成は、バヨネット機構を介して係合される２つの枠体に適用することができる。
【０１２５】
（Ｇ）上記実施形態では、第１直進枠１１０の内周面１１０Ｓにバヨネット溝ｅ１が形成され、第１回転枠２１０の外周面２１０Ｔにバヨネット突起Ｅ１が形成されることとしたが、これに限られるものではない。第１直進枠１１０の内周面１１０Ｓにバヨネット突起Ｅ１が形成され、第１回転枠２１０の外周面２１０Ｔにバヨネット溝ｅ１が形成されてもよい。
【０１２６】
（Ｈ）上記実施形態では、バヨネット溝ｅ１及びバヨネット突起Ｅ１が、２段の階段状に形成されることとしたが、これに限られるものではない。バヨネット溝ｅ１及びバヨネット突起Ｅ１は、３段以上の階段状に形成されていてもよい。
【０１２７】
（附記）
以下において、ここに開示されるレンズ鏡筒２０の特徴の一部を附記する。
（１）
レンズ鏡筒は、内周面に第１直進溝と第１カム溝とを有する円筒状のカム枠と、カム枠の径方向内側に配置され、かつ、外周面に第１直進溝に係合される第１直進突起と内周面に第２直進溝とを有する円筒状の第１直進枠と、第１直進枠の径方向内側に配置され、かつ、外周面に第１カム溝に係合されるカムフォロアと内周面から外周面に貫通した第２カム溝とを有する円筒状の回転枠と、回転枠の径方向内側に配置され、かつ、外周面に第２カム溝を介して第２直進溝に係合される第２直進突起を有する円筒状の第２直進枠と、を備える。第２直進突起は、第２直進枠の外周面上に配置され、第２カム溝に係合されるカム突起部と、カム突起部上に配置され、第２直進溝に係合される直進突起部と、を有する。
【０１２８】
また、このレンズ鏡筒は、回転枠は更に外周面にギアと、ギアと噛み合い、回転枠に回転力を伝達する駆動ギアと、を有していてもよい。
また、このレンズ鏡筒において、カム突起部及び直進突起部のそれぞれは、第２直進枠の周方向に沿って延びていてもよい。
また、このレンズ鏡筒において、カム突起部は、第２直進枠の周方向に沿って延びるように形成され、周方向におけるカム突起部の両端面は、第２直進枠の径方向を軸心とする円錐面の一部であり、直進突起部は、第２直進枠の周方向に沿って延びる直方体状に形成されていてもよい。
【０１２９】
また、このレンズ鏡筒は、内周面に光軸と平行な第１溝を有する円筒状の第１枠と、第１枠の径方向内側に配置され、かつ、内周面から外周面に貫通した第１カム溝を有する円筒状の第２枠と、第２枠の径方向内側に配置され、かつ、外周面に第１カム溝を介して第１溝に係合される第１突起を有する円筒状の第３枠と、を備える。第１突起は、第３枠の外周面上に配置され、第１カム溝に係合されるカム突起部と、カム突起部上に配置され、第１溝に係合される先端突起部と、を有し、カム突起部及び先端突起部のそれぞれは、第３枠の周方向に沿って延びるように形成され、第１カム溝は、周方向と交差する方向に沿って形成されており、第２枠は、周方向と交差する方向に沿って形成され、第１カム溝内に突出する当接帯部を有していてもよい。
【０１３０】
（２）
レンズ鏡筒は、円筒状の固定枠と、固定枠の後側開口を塞ぐマスターフランジと、固定枠の内側かつマスターフランジの前方に配置されており、固定枠に対して回転可能な円筒状の回転枠と、回転枠の内側から固定枠乃至はマスターフランジに向かって配線されるフレキシブル配線と、を備える。回転枠は、後端面において周方向に沿って形成される切り欠き部を有し、切り欠き部は、回転枠がマスターフランジに最も近接した場合、フレキシブル配線と対向する。
【０１３１】
このレンズ鏡筒において、回転枠は外周面にカムフォロアを有し、切り欠き部はカムフォロアと円筒軸方向から見て重ならない位置に配置されていてもよい。
このレンズ鏡筒において、回転枠は外周面にギアを有し、切り欠き部はギアと円筒軸方向から見て重ならない位置に配置されていてもよい。
【０１３２】
（３）
レンズ鏡筒は、円筒状の固定枠と、固定枠の後側開口を塞ぐマスターフランジと、固定枠の内側かつマスターフランジの前方に配置されており、固定枠に対して回転可能な円筒状の回転枠と、レンズ群を保持し、マスターフランジと回転枠との間に配置されるレンズ群枠と、を備える。回転枠は、後端面において周方向に沿って形成される切り欠き部を有し、切り欠き部は、回転枠がマスターフランジに最も近接した場合、レンズ群枠と対向する。
このレンズ鏡筒において、回転枠は外周面にカムフォロアを有し、切り欠き部はカムフォロアと円筒軸方向から見て重ならない位置に配置されていてもよい。
このレンズ鏡筒において、回転枠は外周面にギアを有し、切り欠き部はギアと円筒軸方向から見て重ならない位置に配置されていてもよい。
【０１３３】
（４）
レンズ鏡筒は、内周面に形成されるカム溝を有する円筒状の固定枠と、固定枠の内側に突出し、固定枠に回転自在に支持される回転ギアと、固定枠の後側開口を塞ぐマスターフランジと、固定枠の内側かつマスターフランジの前方に配置されており、固定枠に対して回転可能な円筒状の回転枠と、回転枠の内側から固定枠乃至はマスターフランジに向かって配線されるフレキシブル配線と、を備える。回転枠は、外周面後端部上において周方向に沿って形成され、回転ギアと噛合されるギア部と、外周面後端部上に配置され、カム溝に係合されるカム突起と、を有する。回転枠がマスターフランジに最も近接した場合、回転枠の軸心を中心とするギア部およびカム突起の回転位置は、軸心を中心とするフレキシブル配線の回転位置と異なっている。
【０１３４】
（５）
レンズ鏡筒は、円筒状の固定枠と、固定枠の後側開口を塞ぐマスターフランジと、固定枠の内側かつマスターフランジの前方に配置され、固定枠に対して移動可能な移動枠と、移動枠の内側かつマスターフランジの前方に配置され、固定枠に対して回転可能な円筒状の回転枠と、回転枠の内側から固定枠乃至はマスターフランジに向かって配線されるフレキシブル配線と、を備える。移動枠は、後端部の外周側の一部に形成される突起部を有し、突起部は、移動枠がマスターフランジに最も近接した場合、フレキシブル配線に当接することによってフレキシブル配線を径方向外側に付勢する。
【０１３５】
（６）
レンズ鏡筒は、光を取り込むためのレンズを支持する円筒状の移動枠と、移動枠の外周を覆う被覆枠と、を備える。被覆枠は、後端面から後方に突出する被係止部を有し、移動枠は、外周面に形成される凹部を有しており、被係止部は、凹部に位置決めされた状態で係止されている。
【０１３６】
（７）
レンズ鏡筒は、内周面にカム溝を有する円筒状の移動枠と、移動枠の内側に配置されており、外周面に形成されカム溝に係合されるカム突起を有する円筒状の回転枠と、を備える。移動枠は、移動枠が回転枠に対して最も前方に移動した場合に、カム突起の前方に位置する斜面を有し、斜面の径方向外側は、斜面の径方向内側よりも前方に位置する。
【０１３７】
（８）
レンズ鏡筒は、周方向に沿って形成されるバヨネット溝を有する円筒状の第１枠と、周方向に沿って形成され、バヨネット溝に係合されるバヨネット突起を有する円筒状の第２枠と、バヨネット突起の周方向における高さは、端点に近づくほど低い。
このレンズ鏡筒において、バヨネット溝は少なくとも１つの周方向壁と、バヨネット溝にバヨネット突起を組み込む為に周方向壁に形成される切り欠き部と、を有し、切り欠き部の円筒軸方向から見たときの形状がバヨネット突起の形状に対応していてもよい。
【０１３８】
（９）
レンズ鏡筒は、外周面に形成される３つの突起を有する円筒状の第１枠と、内周面から外周面まで貫通し、３つの突起が挿通される３本の貫通溝を有する円筒状の第２枠と、を備える。３本の貫通溝のうち２本の貫通溝だけが、第２枠の後端面に開口している。
【０１３９】
（１０）
レンズ鏡筒は、外周面に形成される突起を有し、レンズ群を支持する円筒状の第１枠と、第１枠の外側に配置され、内周面から外周面まで貫通し突起が挿通される貫通溝を有する円筒状の第２枠と、第２枠の外側に配置され、第２枠の前端面を覆う被覆枠と、を備える。貫通溝は、第１枠の軸心に平行に形成されており、第２枠は、貫通溝の前方に配置される棒状部を有しており、棒状部材は、前方に向かって突出する突出部を有し、突起の前端部は、第１枠が第２枠の内側に収容された場合、突出部の内側に配置される。
このレンズ鏡筒において、第２枠の前端面は、被覆枠の内面形状に応じた凹凸形状を有する。
【産業上の利用可能性】
【０１４０】
ここに開示された技術によれば、コンパクト化可能なレンズ鏡筒を提供することができるので、例えば、カメラ、カメラ付き携帯電話、カメラ付きポータブル端末等に適用できる。
【符号の説明】
【０１４１】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１２０…第２直進枠
１２２…係止部
１３０…第３直進枠
１３３…係止凹部
２１０…第１回転枠
２１２…ギア部
２２０…第２回転枠
２４１…ズームモータ
２４２…ズームギア
３１０…第１レンズ群枠
３２０…第２レンズ群枠
３３０…第３レンズ群枠
３３５…シャッター枠
ａ１〜ａ６          …直進溝
Ａ１，Ａ３〜Ａ６  …直進突起
ｂ１〜ｂ５          …カム溝
Ｂ１，Ｂ３〜Ｂ５  …カムフォロア
ＡＢ２              …直進カムフォロア
ｅ１〜ｅ３          …バヨネット溝
Ｅ１〜Ｅ３          …バヨネット突起
【図１】
2015083998.tif 000003
【図２】
2015083998.tif 000004
【図３】
2015083998.tif 000005
【図４】
2015083998.tif 000006
【図５】
2015083998.tif 000007
【図６】
2015083998.tif 000008
【図７】
2015083998.tif 000009
【図８】
2015083998.tif 000010
【図９】
2015083998.tif 000011
【図１０】
2015083998.tif 000012
【図１１】
2015083998.tif 000013
【図１２】
2015083998.tif 000014
【図１３】
2015083998.tif 000015
【図１４】
2015083998.tif 000016
【図１５】
2015083998.tif 000017
【図１６】
2015083998.tif 000018
【図１７】
2015083998.tif 000019
【図１８】
2015083998.tif 000020
【図１９】
2015083998.tif 000021
【図２０】
2015083998.tif 000022
【図２１】
2015083998.tif 000023
【図２２】
2015083998.tif 000024
【図２３】
2015083998.tif 000025
【図２４】
2015083998.tif 000026
【図２５】
2015083998.tif 000027
【図２６】
2015083998.tif 000028
【図２７】
2015083998.tif 000029
【図２８】
2015083998.tif 000030
【図２９】
2015083998.tif 000031
【図３０】
2015083998.tif 000032
【図３１】
2015083998.tif 000033
【図３２】
2015083998.tif 000034
【図３３】
2015083998.tif 000035
【図３４】
2015083998.tif 000036
【図３５】
2015083998.tif 000037
【図３６】
2015083998.tif 000038
【図３７】
2015083998.tif 000039
【図３８】
2015083998.tif 000040
【図３９】
2015083998.tif 000041
【図４０】
2015083998.tif 000042